(57)【要約】      （修正有）【課題】医療スタッフが注射針を針カバー内に戻す時に針カバーは指と適当な安全距離を保持でき、注射針の指への針刺し事故の危険性を払拭できる注射針の針刺し防止プロテクターを提供する。【解決手段】針刺し防止プロテクター１は、本体１０を設置し、該本体１０には、固定部１００及び握持部１０１を設置する。該固定部１００の一側面上には、２個のクリップ１１を設置し、該２個のクリップ１１の向かい合う内側面には、クリップ凸体１１０をそれぞれ設置し、該固定部１００の反対側面には、第一弾性クリップ１２を設置する。該握持部１０１の一側辺上には、針刺し防止板１３を設置し、該握持部１０１上には、接続部材１４を設置し、該接続部材１４上には、第二弾性クリップ１５を接続し、注射針の針刺し防止プロテクターを構成する。【選択図】図１
0003224979.tif 000002
【実用新案登録請求の範囲】
【請求項１】
注射針の針刺し防止プロテクターは、本体を設置し、
該本体は、板体で、該本体には、固定部及び握持部を設置し、該固定部の一側面上には、少なくとも１個のクリップを設置し、該クリップの向かい合う内側面には、少なくとも１個のクリップ凸体を設置し、該本体の握持部一側辺上には、針刺し防止板を設置し、該本体の握持部上には、接続部材を設置し、該接続部材上には、第二弾性クリップを接続することを特徴とする注射針の針刺し防止プロテクター。
【請求項２】
前記本体の固定部の反対側面には、第一弾性クリップを設置することを特徴とする請求項１に記載の注射針の針刺し防止プロテクター。
【考案の詳細な説明】
【技術分野】
【０００１】
本考案は注射針の針刺し防止プロテクターに関し、特に使用者の指と針カバーが適当な距離を保持することで、針カバーを針上にスムーズに嵌められ、注射針のカバーを安全に行える注射針の針刺し防止プロテクターに関する。
【背景技術】
【０００２】
一般の注射針は針カバーにより保護され、注射針による針刺し事故を防止し、針を汚染から保護している。
【０００３】
医療スタッフは、患者に薬剤の注射を終えた後には、針カバーを注射針上に被せるが、不注意で注射針による針刺し事故がしばしば発生し、医療スタッフは、ウィルス感染のリスクにさらされている。
【先行技術文献】
【特許文献】
【０００４】
【特許文献１】特開2010-214096号公報
【考案の概要】
【考案が解決しようとする課題】
【０００５】
本考案の目的は、注射針を針カバー内に戻す際に存在する危険性を有効に解決できる注射針の針刺し防止プロテクターを提供することである。
【課題を解決するための手段】
【０００６】
本考案注射針の針刺し防止プロテクターには、本体を設置し、該本体には、固定部及び握持部を設置し、該固定部の一側面上には、少なくとも１個のクリップを設置し、
本考案注射針の針刺し防止プロテクターの本体は、板体で、
本考案注射針の針刺し防止プロテクターのクリップの向かい合う内側面には、少なくとも１個のクリップ凸体を設置し、該クリップ凸体に、針カバーを嵌合して定位し、
本考案注射針の針刺し防止プロテクターの本体の固定部の反対側面には、第一弾性クリップを設置し、該第一弾性クリップは物件上に挟持し、注射針を戻す際の便を図り、  本考案注射針の針刺し防止プロテクターの本体の握持部一側辺上には、針刺し防止板を設置し、該針刺し防止板は、指前に防護を形成し、針刺し事故を防止でき、
本考案注射針の針刺し防止プロテクターの本体の握持部上には、接続部材を設置し、該接続部材上には、第二弾性クリップを接続し、該第二弾性クリップは、医療スタッフ衣服のポケットを挟んで固定され、随時携帯しての使用に便利である。
【考案の効果】
【０００７】
本考案注射針の針刺し防止プロテクターにより、医療スタッフが注射針をカバーに戻す際、針カバーは指と適当な安全距離を保持でき、針カバーに注射針を戻す際の針刺し事故発生の危険性を払拭でき、しかも針刺し防止プロテクターの構造はコンパクトで軽く、使用の利便性が高く、製造コストも低く、医療スタッフは針刺し防止プロテクターを随時携帯して随時使用でき、注射針をカバーに戻す際の安全性を大幅に高めることができる。
【図面の簡単な説明】
【０００８】
【図１】本考案実施例の立体図である。
【図２】本考案実施例の別の角度の立体図である。
【図３】本考案の実施例による針カバーと針がいっしょに針刺し防止プロテクター上に挟持される様子を示す模式図である。
【図４】本考案の実施例による針を針カバーから抜き取った後に、針カバーが針刺し防止プロテクター上に挟持されて残る様子を示す模式図である。
【図５】本考案の実施例による注射針を針刺し防止プロテクター上の針カバー内に戻そうとする様子を示す使用模式図である。
【図６】本考案の実施例による針カバーに注射針を戻す様子を示す使用模式図である。
【図７】本考案の実施例による注射針と針カバーを針刺し防止プロテクター上から取り外す様子を示す使用模式図である。
【図８】本考案実施例による針刺し防止プロテクターを物件上に挟んで固定する様子を示す使用模式図である。
【考案を実施するための形態】
【０００９】
本考案注射針の針刺し防止プロテクター１は、図１、２に示すように、本体１０を設置し、該本体１０には、固定部１００及び握持部１０１を設置する。
【００１０】
該固定部１００の一側面上には、２個のクリップ１１を設置し、該２個のクリップ１１の向かい合う内側面には、クリップ凸体１１０をそれぞれ設置し、該固定部１００の反対側面には、第一弾性クリップ１２を設置する。
【００１１】
該握持部１０１の一側辺上には、針刺し防止板１３を設置し、該握持部１０１上には、接続部材１４を設置し、該接続部材１４上には、第二弾性クリップ１５を接続し、こうして注射針の針刺し防止プロテクターを構成する。
【００１２】
本考の案使用時には、図３?８に示すように、針刺し防止プロテクター１の第二弾性クリップ１５で、医療スタッフ衣服のポケット上を挟み、医療スタッフは随時携帯することができる（図５?７参照）。
【００１３】
患者に対して、注射器２を用い薬剤を注射する前には、先ず注射器２の針カバー２１部位を、針刺し防止プロテクター１の本体１０上のクリップ１１内に、やや力を入れて押し入れ（図３参照）、クリップ１１のクリップ凸体１１０により、針カバー２１を嵌合して定位し、クリップ１１上からの針カバー２１の脱出を防止する。
【００１４】
注射時には、針２０を針カバー２１内から抜き取る（図４参照）だけで、患者に対して薬剤の注射を行うことができ、注射完了後には、医療スタッフは針刺し防止プロテクター１の本体１０の握持部１０１を片手で持ち、もう一方の手で注射器２の針２０を、クリップ１１に挟持されている針カバー２１に合わせれば、針２０を安全に針カバー２１内に戻すことができる（図５、６参照）。
【００１５】
本考案の針刺し防止プロテクター１は、針カバー２１を挟持して固定するため、針カバー２１と指とは、適当な安全距離を備え、しかも握持部１０１の一側辺上には、針刺し防止板１３を設置するため、針２０を戻す時の医療スタッフの指への針刺し事故の発生を防止できる。
【００１６】
針２０を戻した後には、注射器２と針刺し防止プロテクター１に反対方向へとやや力を加えると、クリップ１１は、針カバー２１に押され、弾性でいくらか外に広がり、針カバー２１は、クリップ１１内から脱出（図７参照）し、楽に、かつ安全に針２０をカバーに戻すことができる。
【００１７】
医療スタッフが片手で注射器２を持ち、もう一方の手で患者の注射部位を押さえ止血する必要があり、針刺し防止プロテクター１を持つ余分な手がない時には、本体１０背面の第一弾性クリップ１２を利用し、該針刺し防止プロテクター１を物件（クリップボード３、文書ファイル等）上に挟持して固定（図８参照）するだけで、片手で針２０を針カバー２１内に戻すことができる。
【００１８】
本考案は、針刺し防止プロテクター１により、医療スタッフが針２０をカバーに戻す操作をサポートすることで、使用上の利便性と極めて高い安全性を実現し、しかも本考案の針刺し防止プロテクター１は構造全体がコンパクトかつ軽量で、製造コストも低く、随時携帯しての使用に便利で、注射針をカバーに戻す際の安全性を大幅に高めることができ、幅広い普及と使用の目的を達成できる。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１  針刺し防止プロテクター
１０  本体
１００  固定部
１０１  握持部
１１  クリップ
１１０  クリップ凸体
１２  第一弾性クリップ
１３  針刺し防止板
１４  接続部材
１５  第二弾性クリップ
【図１】
0003224979.tif 000003
【図２】
0003224979.tif 000004
【図３】
0003224979.tif 000005
【図４】
0003224979.tif 000006
【図５】
0003224979.tif 000007
【図６】
0003224979.tif 000008
【図７】
0003224979.tif 000009
【図８】
0003224979.tif 000010